【事件の表示】
　特願２００１−　９０８７１「折り畳み式携帯電話機」拒絶査定不服審判事件〔平成１４年１０月　４日出願公開、特開２００２−２９０５０７〕について、次のとおり審決する。
【結　論】
　本件審判の請求は、成り立たない。
【理　由】
第１　手続きの経緯
　本願は、平成１３年３月２７日の出願であって、平成１８年１１月１５日付けで拒絶査定がなされ、これに対し平成１９年１月１７日に審判請求がなされるとともに、同年２月８日付けで手続補正がなされ、当審より平成２０年１１月７日付けでなされた審尋に対し、平成２１年１月９日に回答書が提出されたものである。
　
　
第２　平成１９年２月８日付けの手続補正についての補正却下の決定
　
［補正却下の決定の結論］
　平成１９年２月８日付けの手続補正を却下する。
　
［理由］
（１）　補正の内容
　上記手続補正（以下、「本件補正」という。）は、補正前の特許請求の範囲の請求項２に記載された、
　
　「【請求項２】　本体(１)に対して蓋体(２)を開閉可能に連結してなり、本体(１)の内面には複数の操作キー(12)が配設され、蓋体(２)の内面にはディスプレイ(21)が配備されている折り畳み式携帯電話機において、
　蓋体(２)の開／閉状態を検知する開閉検知器(４)と、
　着信時に、電話番号が登録されている発信者からの登録着信であるか、電話番号が登録されていない発信者からの非登録着信であるかを判断する第１の判断手段と、
　前記第１の判断手段によって登録着信と判断された場合に、開閉検知器(４)の検知信号に基づいて、蓋体(２)が閉じられた状態から開かれたかどうかを判断する第２の判断手段と、
　前記第２の判断手段によって蓋体(２)が開かれたと判断されたときにオフフックし、前記第１の判断手段によって非登録着信と判断された場合はオフフック操作に応じてオフフックするオフフック制御手段
とを具えていることを特徴とする折り畳み式携帯電話機。」
という発明（以下、「本願発明」という。）を、
　
　「【請求項２】　本体(１)に対して蓋体(２)を開閉可能に連結してなり、本体(１)の内面には複数の操作キー(12)が配設され、蓋体(２)の内面にはディスプレイ(21)が配備されている折り畳み式携帯電話機において、
　蓋体(２)の開／閉状態を検知する開閉検知器(４)と、
　着信時に、電話番号が登録されている発信者からの登録着信であるか、電話番号が登録されていない発信者からの非登録着信であるかを判断する判断手段と、
　前記判断手段によって登録着信と判断された場合、前記開閉検知器(４)により閉状態から開状態になったことが検知されると、オフフックを行なう一方、前記判断手段によって非登録着信と判断された場合、前記開閉検知器(４)により閉状態から開状態になったことが検知されると、オフフック操作を行なわない限り、オンフックの状態を維持するオフフック制御手段
とを具えていることを特徴とする折り畳み式携帯電話機。」
という発明（以下、「補正後の発明」という。）に補正することを含むものである。
　
　
（２）　補正の適否
　本件補正は、
　本願発明の「第１の判断手段」を「判断手段」とし、
　本願発明の「開閉検知器(４)の検知信号に基づいて、蓋体(２)が閉じられた状態から開かれたかどうかを判断する第２の判断手段と、前記第２の判断手段によって蓋体(２)が開かれたと判断されたときにオフフックし」を、「前記開閉検知器(４)により閉状態から開状態になったことが検知されると、オフフックを行なう一方」とし、
　本願発明の「オフフック操作に応じてオフフックする」を、「前記開閉検知器(４)により閉状態から開状態になったことが検知されると、オフフック操作を行なわない限り、オンフックの状態を維持する」とするものである。
　しかしながら、「開閉検知器(４)の検知信号に基づいて」を「前記開閉検知器(４)により」とすることは、「開閉検知器(４)」の「検知信号」なる要件を削除しており、
　また、「蓋体(２)が閉じられた状態から開かれたかどうかを判断する第２の判断手段」における「第２の判断手段」なる要件も削除されており、
　「オフフック操作に応じてオフフックする」を「オフフック操作を行なわない限り、オンフックの状態を維持する」とすることは、異なる構成要件に変更しているので、この補正は特許請求の範囲の減縮を目的とするものに該当しない。
　また、この補正は、請求項の削除、誤記の訂正、明りょうでない記載の釈明を目的とするものにも該当しない。
　
　更に言うならば、補正後の発明の「前記判断手段によって非登録着信と判断された場合、前記開閉検知器(４)により閉状態から開状態になったことが検知されると、」という要件は、その前段の「前記判断手段によって非登録着信と判断された場合」が本願明細書【図５】の「ステップＳ８’」より右に分岐する、判断結果が「Ｎｏ」の場合であることを勘案すると、補正により追加された後段の「前記開閉検知器(４)により閉状態から開状態になったことが検知される」ことに対応するステップの記載は当初明細書に開示が無く、その記載から自明な範囲の事項でもない。
　したがって本件補正は、当初明細書等に記載されていた事項の範囲内においてなされたものではないから、特許法第１７条の２第３項（新規事項）の規定にも適合していない。
　
（３）　むすび
　以上のように、本件補正は、平成１８年法律第５５条改正法の附則第３条第１項によりなお従前の例によるとされる同法による改正前の特許法第１７条の２第４項または第３項の規定に違反するので、特許法第１５９条第１項の規定により読み替えて準用する特許法第５３条第１項の規定により却下すべきものである。
　
　
第３　本願発明について
　
　本件補正は上記のとおり却下されたので、本願発明は、上記第２の「（１）　補正の内容」に記載したとおりのものである。
　
（１）引用例
　原審の拒絶理由に引用された特開平１１−４１６４８号公報（以下、「引用例」という。）には、「閉鎖可能な通信装置およびそれを動作する方法」として、図面とともに以下の事項が記載されている。
　
　イ．「【０００１】
【産業上の利用分野】本発明は、一般に通信装置に関し、さらに詳しくは、閉鎖可能な(closeable)通信装置に関する。
【０００２】
【従来の技術および発明が解決しようとする課題】携帯が容易で、所望の機能に対応し、携帯することのできる時間量を延長するために消費電力を最小限に抑える通信装置は、商業的利点を有する。携帯が容易な通信装置の１つに、開位置と閉位置とを有する閉鎖可能なセルラ電話がある。開位置では、スピーカ，マイクロフォン，ディスプレイおよびキーパッドを備えるセルラ電話の従来のセルラ電話ユーザ・インタフェースが全面的に露出され、セルラ電話はユーザの耳と口とがスピーカおよびマイクロフォンとそれぞれ整合できるだけの充分な長さを有する。閉位置では、従来のユーザ・インタフェースは重ねられ、あるいは折り畳まれて、それによってセルラ電話の長さを短くする。別の利便性として、セルラ電話を閉位置から開位置へと移動させると、自動的に着信電話呼に応答する。このように、呼が受信されるかあるいは発される場合は、セルラ電話は開位置に置かれて電話通話を容易にし、呼が受信されなかったり発されないときはいつでも、セルラ電話は閉位置に保持されて携帯を容易にする。
【０００３】携帯が容易ではあるが、閉鎖可能なセルラ電話は、多くのユーザが望む発呼者識別機能（「発呼者ID」）に対応しない。発呼者IDにより、セルラ電話のユーザは着信呼に応答する前に発呼者を確認することができる。セルラ電話にサービスを提供する基地局または他の遠隔装置は、着信呼と共に発呼者の電話番号をセルラ電話に送付する。セルラ電話はその電話番号をディスプレイ上に表示して、呼に応答する前にユーザはそれを確認することができる。しかし、閉鎖可能セルラ電話のディスプレイは、閉位置では隠される。ディスプレイ上の電話番号を見るためにセルラ電話を開けると自動的に呼に応答するので、発呼者IDの目的が無効になる。」
（２頁２欄４１行〜３頁３欄２６行）
　
　ロ．「【０００７】図１は、閉鎖可能通信装置１０２と基地局１０３とによって構成される通信システム１００を示す。装置１０２と基地局１０３は、無線周波数（RF）信号１０４を介して通信を行い、ワイヤレス通信と、ページング，電話通話およびショート・メッセージ送信などの機能とを提供する。好ましくは、装置１０２は、セルラ電話であり、基地局１０３は、装置１０２に対してセルラ電話通信およびその他の通信サービスを提供するセルラ基地局であり、通信システム１００はセルラ電話システムである。セルラ電話内に図示されるが、以下に説明される装置および方法は、コードレス電話，双方向無線機，ページャ，パーソナル・デジタル・アシスタント（電子手帳）などにも適応され、本明細書において用いられる「装置」という用語は、これらやその等価物の各々を指すものとする。
【０００８】閉鎖可能通信装置１０２は、ハウジング１０５，アンテナ１０８およびバッテリ１０９を有する。アンテナ１０８はハウジング１０５上に搭載され、基地局１０３との間にRF信号１０４をそれぞれ送信および受信する。バッテリ１０９は、ハウジング１０５に取り外し可能に結合され、装置１０２に電力を供給する。
【０００９】ハウジング１０５は、ハウジング部分１１０，１１２を有する。ハウジング部分１１２は、図１に示される開位置１１５と、図２に示される閉位置２００との間で移動可能である。ハウジング部分１１２は、一般に可動要素またはフラップと呼ばれる。図示される実施例においては、ハウジング部分１１０，１１２は、矢印１１８により示されるように、ハウジング部分１１２を開位置１１４と閉位置２００との間に回転させるヒンジ１１６を介して結合される。あるいは、ハウジング部分１１０，１１２を摺動可能に結合させて、開位置１１４および閉位置２００を実現することもできる。」（３頁４欄１８〜４９行）
　
　ハ．「【００１１】従来のセルラ電話ユーザ・インタフェース１０６がハウジング１０５上に搭載される。ユーザ・インタフェース１０６は、好ましくはディスプレイ１３４とスピーカ溝１４０の背後に位置するスピーカ３０３（図３参照）とである出力装置を備え、さらに、好ましくはキーパッド１３６とマイクロフォン開口部１３８の背後に位置するマイクロフォン３０７（図３参照）とである入力装置を備える。ユーザ・インタフェース１０６の出力装置は、ハウジング１０５が開位置１１４にあるときのみ検出可能なように内部に配置される。ディスプレイ１３４はハウジング部分１１０の表面１２０上に装着され、ディスプレイ領域１４２を有する。図１では、ここに電話番号「８４７−５５５−１２１２」が表示された状態で図示される。スピーカ溝１４０は、ハウジング部分１１２の表面１２６上でその遠端に装着され、ユーザの耳と整合する。ユーザ・インタフェース１０６の入力装置は、ハウジング１０５が開位置１１４にあるときのみアクセス可能になるよう内部に配置される。キーパッド１３６は、ハウジング部分１１０の表面１２０上に装着される複数のキー１３７を有する。キー１３７は、従来の英数字電話キー（０〜９，＊，＃）と、電源オン／オフ・キー（PWR ），ファンクション・キー（FCN ），送付キー（SND ）および終了キー（END ）などの従来のセルラ電話キーである。マイクロフォン開口部１３８は、ハウジング部分１１０の表面１２０内でその遠端に形成され、ユーザの口と整合する。
【００１２】図２に図示される延長されたユーザ・インタフェース２０１は、ハウジング１０５上に装着され、主にハウジング１０５が閉位置２００にあるときに使用される。ユーザ・インタフェース２０１は、好ましくはインジケータ２０４とリンガ開口部２０６の背後に位置するリンガ３０９（図３参照）である出力装置と、好ましくはサイド・ボタン２０８である入力装置とを備える。ユーザ・インタフェース２０１の出力装置は、ハウジング１０５が図１の開位置１１４にあるときと、図２の閉位置２００にあるときにユーザが見ることができるように外部に配置される。インジケータ２０４は、ハウジング部分１１０の表面１２２上に装着される。音波を通過させることのできるリンガ開口部２０６は、表面１２２内に形成される。ユーザ・インタフェース２０１の入力装置は、ハウジング１０５が開位置１１４および閉位置２００にあるときに、ユーザがアクセスできるよう外部に配置される。サイド・ボタン２０８はハウジング部分１１０の表面１２４上に配置される。
【００１３】閉鎖可能通信装置１０２は図３に示される電気回路構成３００を有する。電気回路構成３００は、アンテナ１０８と、トランシーバ３０２と、コントローラ３０４と、メモリ３０５と、図３のスピーカ３０３，ディスプレイ１３４，リンガ３０９，インジケータ２０４およびバイブレータ３１０を含む図１のユーザ・インタフェース１０６および図２のユーザ・インタフェース２０１と、キーパッド回路３０６，マイクロフォン３０７，サイド・ボタン回路３０８およびスイッチ３１２を含むユーザ・インタフェース１０６の入力装置とを具備する。アンテナ１０８を除き電気回路構成３００はすべてコントローラ３０４に直接結合される。」
（４頁５欄１７行〜６欄２２行）
　
　ニ．「【００１６】コントローラ３０４は、ユーザ入力装置を介してユーザから情報を受信する。キーパッド回路３０６は、キーパッド１３６の図１のキー１３７の作動に応答して、コントローラ３０４に信号を与える。図３のマイクロフォン３０７は、変換された可聴音声信号をコントローラ３０４に与える。サイド・ボタン回路３０８は、図２のサイド・ボタン２０８のうち任意のボタンの作動に応答して、コントローラ３０４に信号を与える。図３のスイッチ３１２は、図１のハウジング１０５の位置に応答して、コントローラ３０４に信号を与える。スイッチ３１２は、磁気リードスイッチまたは他の適切なセンサまたはスイッチである。
【００１７】メモリ３０５は、コントローラ３０４がアクセス可能な記憶媒体である。メモリ３０５は、動作命令と、図１のキーパッド１３６を介してユーザが入力した名前および関連の電話番号の電子的な電話帳の形式における発呼者情報などのユーザが定義可能な情報と、キーパッド１３６を介してユーザが入力したトーンおよび振動パターン選択などを恒久的に格納する。メモリ３０５は、処理された制御情報などを一時的に格納する。メモリ３０５は、好ましくは、ランダム・アクセス・メモリ（RAM ），電気的消去書込可能読取専用メモリ（EEPROM），読取専用メモリ（ROM ）またはその他の適切なメモリ装置の組み合わせである。図では離れて図示されるが、代替例としてメモリ３０５はコントローラ３０４内に内蔵されることもある。」（５頁７欄８〜３３行）
　
　ホ．「【００１９】コントローラ３０４が電気回路構成３００を制御するために実行する１組の命令は、図４に図示される複数の方法段階において具現される。この方法段階は、図２のサイド・ボタン２０８の機能性を含む装置１０２の機能を定義し、図１ないし図４に関連して説明される。本方法は、装置１０２がスタンバイ動作モードに入ると、すなわち装置１０２の電源は入るが通話状態にはないときに開始される（段階４００）。装置１０２がスタンバイ状態に入ると、リンガ３０９，インジケータ２０４およびバイブレータ３１０を含むユーザ・インタフェース２０１の出力装置が失活される。スタンバイ状態において、コントローラ３０４は、スイッチ３１２からの信号を処理して、ハウジング１０５が閉位置２００にあるか否かを判断する（段階４０２）。
【００２０】ハウジング１０５が閉位置２００にない場合（すなわちハウジング１０５が開位置１１４にあるとき）は、コントローラ３０４はスイッチ３１２からの信号の印加を不能化して、ハウジング制御オフフックを阻止する（すなわち、ハウジング１０５が開位置１１４にある間は、着信呼の応答をしない）（段階４０２）。次にコントローラ３０４は、受信機３１４から与えられた制御情報から、装置１０２に対する呼が着信中であるか否かを判断する（段階４０６）。着信呼がない場合は、コントローラ３０４はハウジング１０５の位置の判定に戻る（段階４０２）。呼が着信中の場合は、コントローラ３０４はリンガ３０９，バイブレータ３１０またはインジケータ２０４を作動させて、ユーザに着信呼を知らせる（段階４０７）。次にコントローラ３０４は、受信機３１４により与えられる制御情報から着信呼の発呼者識別子情報を取り出し、ディスプレイ１３４を駆動させて、発呼者識別子情報を表示する（段階４０８）。たとえば、着信呼の発信者の電話番号が「８４７−５５５−１２１２」の場合、ディスプレイ１３４には図１に示されるようにその電話番号が表示される。
【００２１】次に、コントローラ３０４はサイド・ボタン回路３０８およびキーパッド回路３０６を監視して、処理されると１つのサイド・ボタン２０８または１つのキー１３７の作動をそれぞれ標示する信号を捜す（段階４１０）。このような信号が見つからないと、コントローラ３０４は受信機３１４により与えられる制御情報を処理して、呼が依然として着信中であるか否か（すなわち終了していないか）を判断する（段階４１２）。呼が依然として着信中の場合は、コントローラ３０４は再びリンガ３０９，バイブレータ３１０またはインジケータ２０４を作動させて、警告を発し（段階４１４）、ディスプレイ１３４の駆動に戻り発呼者識別子情報を表示する（段階４０８）。呼がもはや着信中でない（すなわち終了した）場合は、コントローラ３０４は方法を終了する（段階４１６）。サイド・ボタン２０８またはキー１３７の１つの作動を標示する信号が見つかると、コントローラ３０４はスイッチ３１２からの信号の処理を可能にして、ハウジング制御オフフックを可能にする（すなわち、ハウジング１０５が開位置１１４にある間に着信呼の応答を可能にする）（段階４１８）。可能になると、コントローラ３０４は着信呼に応答して（段階４２０）、方法を終了する（段階４１６）。
【００２２】ハウジング１０５が閉位置２００にある場合は、コントローラ３０４はスイッチ３１２からの信号の印加を可能にして、ハウジング制御オフフックを可能にする（すなわち、ハウジング１０５を閉位置２００から開位置１１４に移動させることにより着信呼の応答を可能にする）（段階４２２）。コントローラ３０４は、受信機３１４により与えられる制御情報を処理して、装置１０２に対する呼が着信中であるか否かを判断する（段階４２４）。着信呼がない場合は、コントローラ３０４はサイド・ボタン回路３０８を監視して、処理されると１つのサイド・ボタン２０８の作動を標示する信号を捜す（段階４２６）。
【００２３】１つのサイド・ボタン２０８の作動を標示する信号が見つかると、コントローラ３０４はインジケータ２０４を制御して、受信機３１４により与えられる制御情報から引き出された装置１０２の状況を視覚的に標示させることにより、状況チェックを実行する（段階４２７）。制御情報が、基地局１０３が装置１０２に対してサービスを提供中である（すなわち装置１０２が「サービス中」である）場合は、コントローラ３０４はインジケータ２０４を制御して、緑色を点滅させることにより第１標示を行う。制御情報が、装置１０２は使用可能であるがそのホーム通信システムの外に位置する（すなわち装置１０２が「移動中」である）ことを標示すると、コントローラ３０４はインジケータ２０４を制御して、黄色を点滅させることにより、第１標示とは異なる第２標示を行う。制御情報が、装置１０２が使用不能である（すなわち装置１０２が「サービス外」にある）場合は、コントローラ３０４はインジケータ２０４を制御して、赤色を点滅させることにより、第１および第２標示とは異なる第３標示を行う。コントローラ３０４は、好ましくはインジケータ２０４を制御して、０．５Hzにおける２０パーセントのデューティ・サイクルなどのように間欠的に、５秒間など短い時間の間点滅させる。しかし、コントローラ３０４は、インジケータ２０４のオン時間を最小限にして、なおかつ状況の視認を容易にする他の適切な区別的点滅パターンに従いインジケータ２０４を制御することもできる。」
（５頁７欄４２行〜６頁９欄３５行）
　
　ヘ．「【００２６】ハウジング１０５が閉位置２００にある間に装置１０２に対する呼が着信すると、コントローラ３０４はリンガ３０９，バイブレータ３１０またはインジケータ２０４を作動させて、ユーザに着信呼を知らせる（段階４３０）。次にコントローラ３０４は、スマート呼標示を実行する。コントローラ３０４は、受信機３１４により与えられる制御情報から着信呼の発呼者識別子情報を取り出し、この発呼者識別子情報をメモリ３０５に格納される電話番号などの発呼者情報と比較する（段階４３２）。発呼者識別子情報と格納される発呼者情報との間に一致が見られる場合は、コントローラ３０４はインジケータ２０４を制御して、緑色の点滅を発するなどして第１標示を行う（段階４３４）。一致が見られない場合は、コントローラ３０４は受信機３１４により与えられる制御情報から、装置１０２が移動中であるか否かを判断する（段階４３６）。装置１０２が移動中の場合は、コントローラ３０４はインジケータ２０４を制御して、黄色の点滅を発するなどして、第１標示とは異なる第２標示を行う（段階４３８）。一致が見られずに装置１０２が移動中でない場合は、コントローラ３０４はインジケータ２０４を制御して、赤色点滅を発光するなどして第１および第２標示とは異なる第３標示を行う（段階４４０）。好ましくは、コントローラ３０４はインジケータ２０４を制御して、段階４２８の状況チェックに関して前述された方法に従って標示を行う。インジケータ２０４を制御する代わりに、コントローラ３０４は、リンガ３０９またはバイブレータ３１０を制御して、段階４２７の状況チェックに関して説明されたような区別的トーンまたは振動を発することによりスマート呼標示を行うこともある。
【００２７】第１，第２または第３標示（段階４３４，４３８または４４０）に続き、コントローラ３０４はサイド・ボタン回路３０８を監視して、処理されると１つのサイド・ボタン２０８の作動を標示する信号を捜す（段階４４２）。この信号が見つからない場合は、コントローラ３０４はスイッチ３１２からの信号を処理して、ハウジング１０５が閉位置２００から開位置１１４に移動したか否かを判断する（段階４４４）。ハウジング１０５が移動した場合は、コントローラ３０４は着信呼に応答する（段階４２０）。ハウジング１０５が移動しなかった場合は、コントローラ３０４は受信機３１４により与えられる制御情報を処理して、呼が依然として着信中であるか否か（すなわち終了していないか）を判断する（段階４４６）。着信呼がない場合は、コントローラ３０４は方法を終了する（段階４１６）。呼が依然として着信中の場合は、コントローラ３０４はユーザに対する警告に戻る（４３０）。
【００２８】サイド・ボタン２０８の１つの作動を標示する信号が見つかると、コントローラ３０４はスイッチ３１２からの信号の印加を不能化することによりハウジング・オフフック不能化を実行して、ハウジング制御オフフックを阻止する（すなわちハウジング１０５が開位置１１４にある間は着信呼の応答をしない）（段階４４８）。次にコントローラ３０４は、スイッチ３１２からの信号を処理して、ハウジング１０５が閉位置２００から開位置１１４に移動したか否かを判断する（段階４５０）。ハウジング１０５が移動しなかった場合は、コントローラ３０４は受信機３１４により与えられる制御情報を処理して、呼が依然として着信中であるか否かを判断する（段階４５２）。もはや着信呼がない場合は、コントローラ３０４は方法を終了する（段階４１６）。呼が着信中の場合は、コントローラ３０４はユーザに対する警告に戻る（段階４３０）。
【００２９】１つのサイド・ボタン２０８が作動される間にハウジング１０５が移動されると、コントローラ３０４はディスプレイ１３４を駆動して、着信呼の発呼者識別子情報を表示し、前述の要領で残りの段階４１０，４１２，４１４，４１６，４１８および／または４２０を実行する。」
（６頁１０欄３０行〜７頁１１欄４８行）
　
　ト．「【００３２】図４の方法の段階４０２，４２４，４３０，４３２，４３４，４３６，４３８，４４０に具現されるスマート呼機能は、ハウジング１０５が閉位置２００にあるときに着信呼情報をユーザに提供する。装置１０２上で呼を受信する側に金銭的負担がかかることが多いので、ユーザはこの機能を利用して着信呼を選択するという利点を得ることができる。この機能により、広いレベルでの選択が可能になり、それによってメモリ３０５に格納される発呼者情報と一致する発呼者識別子情報を持つ着信呼が段階４３４の第１標示を発動させる。あるいは、選択を狭いレベルにして、それによりユーザは、特定の者を定義するメモリ３０５に格納される発呼者情報だけに標識を付けて、特定のものからの着信呼だけが段階４３４の第１標示を発動させるようにすることもできる。」
（７頁１２欄４３行〜８頁１３欄７行）
　
　上記引用例の記載及び図面ならびにこの分野の技術常識を考慮すると、
　まず、上記ロ．及び引用例図１には、「【０００９】ハウジング１０５は、ハウジング部分１１０，１１２を有する。ハウジング部分１１２は、図１に示される開位置１１５と、図２に示される閉位置２００との間で移動可能である。・・・図示される実施例においては、ハウジング部分１１０，１１２は、矢印１１８により示されるように、ハウジング部分１１２を開位置１１４と閉位置２００との間に回転させるヒンジ１１６を介して結合される。」とあり、
　引用例の「閉鎖可能通信装置１０２」は、「ハウジング部分１１０」に対して「ハウジング部分１１２」を開閉可能に連結してなるものであって、
　上記ハ．の記載も参酌すれば、「ハウジング部分１１０」の内面には「複数のキー１３７」が配設され、さらに「ディスプレイ１３４」が配備されているものである。
　
　また、上記ニ．【００１６】後段、上記ヘ．【００２７】中段など、および図３によれば、引用例の「閉鎖可能通信装置１０２」は、「ハウジング部分１１２」の開／閉状態を検知する「スイッチ３１２」をも備えている。
　
　そして、上記ハ．【００１３】、上記ニ．【００１６】前段、上記ホ．【００１９】前段など、および図３にあるように、引用例の「閉鎖可能通信装置１０２」は「コントローラ３０４」によって全体の動作が制御されるものであり、
　特に「ハウジング１０５が閉位置２００にある間に装置１０２に対する呼が着信」した場合の動作が、上記ヘ．【００２６】以下に記載があって、
　まず、上記ヘ．【００２６】（引用例６頁１０欄３５〜４５行）および図４には、「コントローラ３０４は、受信機３１４により与えられる制御情報から着信呼の発呼者識別子情報を取り出し、この発呼者識別子情報をメモリ３０５に格納される電話番号などの発呼者情報と比較する（段階４３２）。発呼者識別子情報と格納される発呼者情報との間に一致が見られる場合は、コントローラ３０４はインジケータ２０４を制御して、緑色の点滅を発するなどして第１標示を行う（段階４３４）。一致が見られない場合は、コントローラ３０４は受信機３１４により与えられる制御情報から、装置１０２が移動中であるか否かを判断する（段階４３６）。」とあって、
　「発呼者識別子情報をメモリ３０５に格納される電話番号などの発呼者情報と比較」した結果が一致する場合とは、『電話番号が登録されている発信者からの登録着信』であるということができ、一致が見られない場合とは、『電話番号が登録されていない発信者からの非登録着信』であるということができ、一致の有無を『判断』しているといえるので、
　引用例には、『着信時に、電話番号が登録されている発信者からの登録着信であるか、電話番号が登録されていない発信者からの非登録着信であるかを判断する（第１の）判断手段』があるといえる。
　
　また、この『（第１の）判断手段』による判断に引き続く動作として、上記ヘ．【００２７】には、「第１，第２または第３標示（段階４３４，４３８または４４０）に続き、コントローラ３０４はサイド・ボタン回路３０８を監視して、処理されると１つのサイド・ボタン２０８の作動を標示する信号を捜す（段階４４２）。この信号が見つからない場合は、コントローラ３０４はスイッチ３１２からの信号を処理して、ハウジング１０５が閉位置２００から開位置１１４に移動したか否かを判断する（段階４４４）。」とあって、
　「サイド・ボタン２０８の作動を標示する信号」が見つからない場合（段階４４２の「ＮＯ」）に（段階４４４）の動作に移行し、
　ここで「スイッチ３１２」からの「信号」は『検知信号』ということができるものであり、
　「ハウジング１０５が閉位置２００から開位置１１４に移動した」とは、『ハウジング部分１１２が閉じられた状態から開かれた』ということであるから、
　引用例には、『サイド・ボタン２０８の作動を標示する信号が見つからない場合に、スイッチ３１２の検知信号に基づいて、ハウジング部分１１２が閉じられた状態から開かれたかどうかを判断する（第２の）判断手段』があるといえる。
　
　また、この『（第２の）判断手段』による判断（段階４４４）に引き続く動作として、上記へ．には、「ハウジング１０５が移動した場合は、コントローラ３０４は着信呼に応答する（段階４２０）。」とあって、
　「ハウジング１０５が移動した場合」とは、もともと「ハウジング１０５」が閉じた状態からの移動であるから『ハウジング部分１１２が開かれた』と判断されたときのことであり、「着信呼に応答する」動作とは「オフフック」のことであるので、
　引用例には、『（第２の）判断手段によってハウジング部分１１２が開かれたと判断されたときにオフフックするコントローラ３０４』があるといえる。
　
　そして、『（第１の）判断手段』による判断に引き続く他の動作として、上記ヘ．および図４には、「【００２７】第１，第２または第３標示（段階４３４，４３８または４４０）に続き、コントローラ３０４はサイド・ボタン回路３０８を監視して、処理されると１つのサイド・ボタン２０８の作動を標示する信号を捜す（段階４４２）。・・・【００２８】サイド・ボタン２０８の１つの作動を標示する信号が見つかると、コントローラ３０４はスイッチ３１２からの信号の印加を不能化することによりハウジング・オフフック不能化を実行して、ハウジング制御オフフックを阻止する（すなわちハウジング１０５が開位置１１４にある間は着信呼の応答をしない）（段階４４８）。次にコントローラ３０４は、スイッチ３１２からの信号を処理して、ハウジング１０５が閉位置２００から開位置１１４に移動したか否かを判断する（段階４５０）。・・・【００２９】１つのサイド・ボタン２０８が作動される間にハウジング１０５が移動されると、コントローラ３０４はディスプレイ１３４を駆動して、着信呼の発呼者識別子情報を表示し、前述の要領で残りの段階４１０，４１２，４１４，４１６，４１８および／または４２０を実行する。」とも記載があり、
　「サイド・ボタン２０８の作動を標示する信号」が見つかった場合（段階４４２の「ＹＥＳ」）に（段階４４８）以降の動作に移行し、（段階４５０）、（段階４１０）などのユーザによるオフフックのための『操作』に応じて、最終的に「コントローラ３０４」が「呼に応答」する動作（段階４２０、即ち「オフフック」）を行うものであることを見て取ることができるから、
　引用例には、『サイド・ボタン２０８の作動を標示する信号が見つかった場合はオフフック操作に応じてオフフックするコントローラ３０４』があるといえる。
　
　以上のことより、引用例には、以下の発明（以下、「引用発明」という。）が記載されている。
　
（引用発明）
　「ハウジング部分１１０に対してハウジング部分１１２を開閉可能に連結してなり、ハウジング部分１１０の内面には複数のキー１３７が配設され、ハウジング部分１１０の内面にはディスプレイ１３４が配備されている閉鎖可能通信装置１０２において、
　ハウジング部分１１２の開／閉状態を検知するスイッチ３１２と、
　着信時に、電話番号が登録されている発信者からの登録着信であるか、電話番号が登録されていない発信者からの非登録着信であるかを判断する第１の判断手段と、
　サイド・ボタン２０８の作動を標示する信号が見つからない場合に、スイッチ３１２の検知信号に基づいて、ハウジング部分１１２が閉じられた状態から開かれたかどうかを判断する第２の判断手段と、
　前記第２の判断手段によってハウジング部分１１２が開かれたと判断されたときにオフフックし、サイド・ボタン２０８の作動を標示する信号が見つかった場合はオフフック操作に応じてオフフックするコントローラ３０４
とを具えている閉鎖可能通信装置１０２。」
　
　
（２）対比
　本願発明と引用発明を対比する。
　引用発明の、「ハウジング部分１１０」、「ハウジング部分１１２」、「キー１３７」、「ディスプレイ１３４」、「閉鎖可能通信装置１０２」、「スイッチ３１２」、「コントローラ３０４」は、
　それぞれ本願発明の、「本体(１)」、「蓋体(２)」、「操作キー(12)」、「ディスプレイ(21)」、「折り畳み式携帯電話機」、「開閉検知器(４)」、「オフフック制御手段」に相当する。
　したがって、両者は、以下の点で一致ないし相違する。
　
（一致点）
「本体(１)に対して蓋体(２)を開閉可能に連結してなり、本体(１)の内面には複数の操作キー(12)が配設され、ディスプレイ(21)が配備されている折り畳み式携帯電話機において、
　蓋体(２)の開／閉状態を検知する開閉検知器(４)と、
　着信時に、電話番号が登録されている発信者からの登録着信であるか、電話番号が登録されていない発信者からの非登録着信であるかを判断する第１の判断手段と、
　開閉検知器(４)の検知信号に基づいて、蓋体(２)が閉じられた状態から開かれたかどうかを判断する第２の判断手段と、
　前記第２の判断手段によって蓋体(２)が開かれたと判断されたときにオフフックし、オフフック操作に応じてオフフックするオフフック制御手段
とを具えている折り畳み式携帯電話機。」
　
（相違点１）
　本願発明では、「蓋体(２)の内面」に「ディスプレイ(21)」が配備されているのに対し、引用発明では「ハウジング部分１１０」（本願発明の「本体（１）」に相当）の内面（「キー１３７」と同じ面）に「ディスプレイ１３４」が配備されている点
　
（相違点２）
　「第２の判断手段」が、本願発明は「前記第１の判断手段によって登録着信と判断された場合に」蓋体(２)が閉じられた状態から開かれたかどうかを判断するのに対し、引用発明は「サイド・ボタン２０８の作動を標示する信号が見つからない場合に」ハウジング部分１１２が閉じられた状態から開かれたかどうかを判断する点。
　
（相違点３）
　「オフフック制御手段」が、本願発明は「前記第１の判断手段によって非登録着信と判断された場合は」オフフック操作に応じてオフフックするのに対し、引用発明は「サイド・ボタン２０８の作動を標示する信号が見つかった場合は」オフフック操作に応じてオフフックする点。
　
　
（３）判断
　相違点１について検討する。
　折り畳み式携帯電話機において、本体側内面のキー操作面に対向する「蓋体の内面」に「ディスプレイ」が配備されている形式のものは、本願出願時に既に周知のもの（例えば、特開平０４−１１１６５５号公報、特開平０６−０３７６９７号公報、特開平１１−２０５８５７号公報等を参照）であるから、相違点１は格別のことではない。
　
　相違点２、３について検討する。
　引用発明において、「サイド・ボタン２０８の作動を標示する信号が見つからない場合」および「サイド・ボタン２０８の作動を標示する信号が見つかった場合」について検討するに、
　これらの場合とは、ユーザが「サイド・ボタン２０８」を作動させない場合、作動させた場合にあたるものであって、
　このときユーザは当然に、直前の「第１の判断手段」の判断結果を表示する「第１，第２または第３標示（段階４３４，４３８または４４０）」を確認して、これによって「サイド・ボタン２０８」を作動させる／させないの意志決定を行うものであり、
　引用例の上記ト．の「ユーザはこの機能を利用して着信呼を選択するという利点を得ることができる。この機能により、広いレベルでの選択が可能になり、それによってメモリ３０５に格納される発呼者情報と一致する発呼者識別子情報を持つ着信呼が段階４３４の第１標示を発動させる。あるいは、選択を狭いレベルにして、それによりユーザは、特定の者を定義するメモリ３０５に格納される発呼者情報だけに標識を付けて、特定のものからの着信呼だけが段階４３４の第１標示を発動させるようにすることもできる。」の記載も勘案すると、
　引用例における「前記第１の判断手段によって登録着信と判断された場合」すなわち「第１標示（段階４３４）、緑色の点滅」の場合には、既に「メモリ３０５」に発呼者の電話番号などが登録されている（言うなれば認証された、信頼の置ける）発呼者からの着信なのであるから、通常改めて「着信発呼者ＩＤ表示」（段階４１０）により確認の必要はなく、「サイド・ボタン２０８」を作動させることなく、「ハウジング部分１１２」（蓋体（２））を開いて（段階４４４）オフフックして差し支えないと考えられ、
　引用例における「前記第１の判断手段によって非登録着信と判断された場合」すなわち「第２標示（段階４３８）、黄色の点滅」または「第３標示（段階４４０）、赤色の点滅」の場合には、「サイド・ボタン２０８」を作動させて「着信発呼者ＩＤ表示」（段階４１０）により確認するのがユーザの通常の利用形態と考えられる。
　要すれば、引用発明における、「サイド・ボタン２０８の作動を標示する信号が見つからない場合」および「サイド・ボタン２０８の作動を標示する信号が見つかった場合」とは、各々「前記第１の判断手段によって登録着信と判断された場合」および「前記第１の判断手段によって非登録着信と判断された場合」に相通じるものであって、
　してみれば、引用発明における「サイド・ボタン２０８」の作動確認の段階（段階４４２）を省いて、（段階４３４）を直接（段階４４４）に接続し、（段階４３８），（段階４４０）を直接（段階４４８）に接続すること、すなわち引用発明の「サイド・ボタン２０８の作動を標示する信号が見つからない場合」を「前記第１の判断手段によって登録着信と判断された場合」となし、「サイド・ボタン２０８の作動を標示する信号が見つかった場合」を「前記第１の判断手段によって非登録着信と判断された場合」となすことは、当業者であれば容易に想到し得たものと認められる。
　また一般に、電話の分野において、着信時に発信者の電話番号が登録されているか否かにより、例えば着信音を変更すること、発信者名を表示すること、バイブレータの動作を変更すること等、着信時の動作を異ならせることは、周知技術（例えば、特開平８−２７４８７３号公報、特開平９−２３８１７８号公報、特開平１０−５６４９６号公報参照）であり、折り畳み式携帯電話機において蓋体が開かれてからオフフック操作に応じてオフフックすることは技術常識であるので、引用発明において、（第１の）判断手段によって非登録着信と判断された場合には、登録着信と判断された場合と着信時の動作を異ならせることは当業者が当然考え付くことでもある。
　したがって、相違点２および３に係る構成を採用することには、格別の困難性がない。
　
　そして、本願発明の作用効果も、引用発明から当業者が予測できる範囲のものである。
　
　
（４）むすび
　以上のとおり、本願発明は、引用発明および周知技術に基づいて、当業者が容易に発明をすることができたものであるから、特許法第２９条第２項の規定により特許を受けることができない。
　よって、結論のとおり審決する。